(57)【要約】【課題】ホストデバイスを利用して会議装置を無線制御し、会議を時間どおりに滞りなく行えるように、又は終了できるようにする第三者会議設備制御システムを提供する。【解決手段】第三者会議設備制御システムは少なくとも１つの会議装置、少なくとも１つのサーバー及び少なくとも１つのホストデバイスを含む。会議装置は実空間中に位置し、少なくとも１つの識別データに対応し、識別データは実空間の実位置に対応する。サーバーは会議装置に信号接続し、識別データを保存する。ホストデバイスはサーバーに無線接続し、識別データを保存し、少なくとも１つの第一制御アプリケーションプログラムを有し、第一制御アプリケーションプログラムはサーバーに対応する。ホストデバイスは第一制御アプリケーションプログラム及び識別データを利用して少なくとも１つの所定時間にサーバーを通じて会議装置を制御する。【選択図】図１
2020010309.tif 000002
【特許請求の範囲】
【請求項１】
実空間中に位置し、少なくとも１つの識別データに対応し、かつ前記少なくとも１つの識別データは前記実空間の実位置に対応する、少なくとも１つの会議装置と、
前記少なくとも１つの会議装置に信号接続し、前記少なくとも１つの識別データを保存する、少なくとも１つのサーバーと、
前記少なくとも１つのサーバーに無線接続し、前記少なくとも１つの識別データを保存し、少なくとも１つの第一制御アプリケーションプログラム（ＡＰＰ  Ｐｒｏｇｒａｍ）を有し、前記少なくとも１つの第一制御アプリケーションプログラムは前記少なくとも１つのサーバーに対応し、前記少なくとも１つの第一制御アプリケーションプログラム及び前記少なくとも１つの識別データを利用して少なくとも１つの所定時間に前記少なくとも１つのサーバーを通じて前記少なくとも１つの会議装置を制御する、少なくとも１つのホストデバイスと、
を含む、第三者会議設備制御システム。
【請求項２】
前記少なくとも１つの会議装置はウェブカメラ、液晶ディスプレイ又はＩＰ電話機（Ｉｎｔｅｒｎｅｔ  Ｐｒｏｔｏｃｏｌ  ｐｈｏｎｅ）である、請求項１に記載の第三者会議設備制御システム。
【請求項３】
前記少なくとも１つの識別データは電話番号、ＩＰアドレス（Ｉｎｔｅｒｎｅｔ  Ｐｒｏｔｏｃｏｌ  Ａｄｄｒｅｓｓ）、デバイス識別コード、パスワード及びデバイス名のうち少なくとも１つを含む、請求項１に記載の第三者会議設備制御システム。
【請求項４】
前記少なくとも１つのホストデバイスは前記少なくとも１つの第一制御アプリケーションプログラムを利用して操作命令を前記少なくとも１つのサーバーに送信した後、前記少なくとも１つのサーバーは前記操作命令に基づき操作信号を前記少なくとも１つの会議装置に送信し、前記少なくとも１つの会議装置は前記操作信号に受動的に応答する、請求項１に記載の第三者会議設備制御システム。
【請求項５】
前記少なくとも１つの会議装置の個数は複数であり、前記少なくとも１つのサーバーは前記複数の会議装置を制御する命令セット（ｉｎｓｔｒｕｃｔｉｏｎ  ｓｅｔ）を備え、前記命令セットは複数の操作コマンドを含み、前記複数の操作コマンドは前記複数の会議装置にそれぞれ対応し、前記少なくとも１つのホストデバイスは前記少なくとも１つの第一制御アプリケーションプログラムを利用して制御コマンドを前記少なくとも１つのサーバーに送信した後、前記少なくとも１つのサーバーは前記命令セットから前記制御コマンドに対応する前記操作コマンドを探し出すとともに、探し出した前記操作コマンドをそれに対応する前記会議装置に送信して前記操作コマンドに対応する前記会議装置を制御する、請求項１に記載の第三者会議設備制御システム。
【請求項６】
前記少なくとも１つのサーバーは前記操作コマンドをそれに対応する前記会議装置に送信して前記会議装置を制御した後、前記制御コマンドが対応する前記会議装置は前記少なくとも１つのサーバー及び前記少なくとも１つの第一制御アプリケーションプログラムを利用してステータスメッセージを前記少なくとも１つのホストデバイスに送信することにより、前記少なくとも１つのホストデバイスに前記制御コマンドが対応する前記会議装置のステータスを通知する、請求項５に記載の第三者会議設備制御システム。
【請求項７】
前記少なくとも１つのホストデバイスは前記ステータスメッセージを表示する、請求項６に記載の第三者会議設備制御システム。
【請求項８】
前記少なくとも１つの第一制御アプリケーションプログラムは少なくとも１つの独立制御インターフェース又は統合式制御インターフェースを備える、請求項１に記載の第三者会議設備制御システム。
【請求項９】
前記少なくとも１つの所定時間は前記少なくとも１つのホストデバイスにより前記少なくとも１つの第一制御アプリケーションプログラムを利用して設定され、前記少なくとも１つのホストデバイスは前記少なくとも１つの第一制御アプリケーションプログラムを利用して前記少なくとも１つの所定時間を前記少なくとも１つのサーバーにアップロードする、請求項１に記載の第三者会議設備制御システム。
【請求項１０】
前記少なくとも１つのサーバーは前記少なくとも１つの会議装置に有線接続又は無線接続する、請求項１に記載の第三者会議設備制御システム。
【請求項１１】
前記少なくとも１つのサーバーに無線接続する少なくとも１つのクライアント端末デバイスをさらに含み、前記少なくとも１つのクライアント端末デバイスは前記少なくとも１つのサーバーに対応する第二制御アプリケーションプログラムを有し、前記少なくとも１つのホストデバイスと前記少なくとも１つのクライアント端末デバイスのうち１つが対応する前記少なくとも１つの第一制御アプリケーションプログラム又は前記第二制御アプリケーションプログラムを実行することにより、前記少なくとも１つのサーバーを利用してオンラインセッションを作成し、前記オンラインセッションは仮定番号に対応し、前記少なくとも１つのクライアント端末デバイスが前記少なくとも１つの所定時間に前記仮定番号を利用して前記オンラインセッションに参加するとともに前記少なくとも１つのサーバーと接続する時、前記少なくとも１つのサーバーは前記少なくとも１つの識別データを利用して前記少なくとも１つの会議装置に接続し、かつ前記少なくとも１つの第一制御アプリケーションプログラムを利用してリマインダーメッセージを前記少なくとも１つのホストデバイスに送信する、請求項１に記載の第三者会議設備制御システム。
【請求項１２】
前記少なくとも１つのホストデバイス及び前記少なくとも１つのクライアント端末デバイスはスマートフォン、タブレット型コンピューター又はノートパソコンから選択される、請求項１１に記載の第三者会議設備制御システム。
【請求項１３】
前記少なくとも１つの所定時間が終了すると、前記少なくとも１つのサーバーは前記少なくとも１つのホストデバイスの前記少なくとも１つの会議装置に対する制御権を取り消す（ｔｅｒｍｉｎａｔｅ）、請求項１に記載の第三者会議設備制御システム。
【発明の詳細な説明】
【技術分野】
【０００１】
本発明は会議設備制御システムに関し、特に、第三者会議設備制御システムに関する。
【背景技術】
【０００２】
多くの会社には専用の会議室があり、会議参加者はそこに集まって会議を行う。このような会議室には常々異なる制御ユニットが備えられており、会議参加者又は進行役はその制御ユニットにより、部屋にある電話、プロジェクター又はプロジェクター用スクリーンのようなさまざまなモジュール又は設備をそれぞれ制御することができる。制御ユニットはユーザーがそれらの部屋の環境条件を制御できる機能も提供している。たとえば、ユーザーは制御ユニットを使用して会議室の明るさを明るくしたり暗くしたりできる。
【０００３】
一般的に、会議進行中は会議に必要な関連作業に合わせ、電話通信システム、プレゼンテーションシステム、ビデオシステム、テレビ又はプロジェクター設備等の異なる設備を使用し、各装置はいずれも対応する制御ユニットを使用するか手動方式によりそれぞれ操作を行う必要があるので、会議の開始時や進行中に会議の各種ニーズに応じ、異なる制御ユニットを使用して対応する設備を管理又は操作しなければならない。また、異なる会議形態に合わせて同じ時間に複数の設備を使用しなければならないこともあり、その時異なる設備に同時にコンピューターを組み合わせて使用することもあり、或いは複数の人があらかじめ設定したり、会議進行中に進行役に合わせて関連操作を行ったりする。しかし、進行役が予め設定した時間に会議を行いたくても、進行役がまだ会議室に入っていない場合や、会議設備に近づいて操作を行うことができない場合もある。
【０００４】
したがって、上述した欠点に対し、本発明の第三者会議設備制御システムを提案し、従来技術が抱える問題を解決する。
【発明の概要】
【発明が解決しようとする課題】
【０００５】
本発明の主な目的は、ホストデバイスを利用して会議装置を無線制御し、会議を時間どおりに滞りなく行えるように、又は終了できるようにする、第三者会議設備制御システムを提供することである。
【課題を解決するための手段】
【０００６】
上述の目的を達成するために、本発明が提供する第三者会議設備制御システムは少なくとも１つの会議装置、少なくとも１つのサーバー及び少なくとも１つのホストデバイスを含む。会議装置は実空間中に位置し、少なくとも１つの識別データに対応し、かつ識別データは実空間の実位置に対応する。サーバーは会議装置に信号接続し、識別データを保存する。ホストデバイスはサーバーに無線接続し、識別データを保存し、少なくとも１つの第一制御アプリケーションプログラム（ＡＰＰ  Ｐｒｏｇｒａｍ）を有し、第一制御アプリケーションプログラムはサーバーに対応する。ホストデバイスは第一制御アプリケーションプログラム及び識別データを利用して少なくとも１つの所定時間にサーバーを通じて会議装置を制御する。
【０００７】
本発明の実施例において、会議装置はウェブカメラ、液晶ディスプレイ又はＩＰ電話機（Ｉｎｔｅｒｎｅｔ  Ｐｒｏｔｏｃｏｌ  ｐｈｏｎｅ）である。
【０００８】
本発明の実施例において、識別データは電話番号、ＩＰアドレス（Ｉｎｔｅｒｎｅｔ  Ｐｒｏｔｏｃｏｌ  Ａｄｄｒｅｓｓ）、パスワード、デバイス識別コード及びデバイス名のうち少なくとも１つを含む。
【０００９】
本発明の実施例において、ホストデバイスは第一制御アプリケーションプログラムを利用して操作命令をサーバーに送信した後、サーバーは操作命令に基づき操作信号を会議装置に送信し、会議装置は操作信号に受動的に応答する。
【００１０】
本発明の実施例において、会議装置の個数は複数であり、サーバーはすべての会議装置を制御する命令セットを備え、命令セットは複数の操作コマンドを含み、すべての操作コマンドはすべての会議装置にそれぞれ対応する。ホストデバイスは第一制御アプリケーションプログラムを利用して制御コマンドを１つのサーバーに送信した後、サーバーは命令セットから制御コマンドに対応する操作コマンドを探し出すとともに、探し出した操作コマンドをそれに対応する会議装置に送信して操作コマンドに対応する会議装置を制御する。
【００１１】
本発明の実施例において、サーバーは操作コマンドをそれに対応する会議装置に送信して会議装置を制御した後、制御コマンドが対応する会議装置はサーバー及び第一制御アプリケーションプログラムを利用してステータスメッセージをホストデバイスに送信することにより、ホストデバイスに制御コマンドが対応する会議装置のステータスを通知する。
【００１２】
本発明の実施例において、ホストデバイスはステータスメッセージを表示する。
【００１３】
本発明の実施例において、第一制御アプリケーションプログラムは少なくとも１つの独立制御インターフェース又は統合式制御インターフェースを備える。
【００１４】
本発明の実施例において、所定時間はホストデバイスにより第一制御アプリケーションプログラムを利用して設定され、ホストデバイスは第一制御アプリケーションプログラムを利用して所定時間をサーバーにアップロードする。
【００１５】
本発明の実施例において、サーバーは会議装置に有線接続又は無線接続する。
【００１６】
本発明の実施例において、第三者会議設備制御システムは、サーバーに無線接続する少なくとも１つのクライアント端末デバイスをさらに含み、クライアント端末デバイスはサーバーに対応する第二制御アプリケーションプログラムを有する。ホストデバイスとクライアント端末デバイスのうち１つが、それに対応する第一制御アプリケーションプログラム又は第二制御アプリケーションプログラムを実行することにより、サーバーを利用してオンラインセッションを作成し、オンラインセッションは仮定番号に対応する。クライアント端末デバイスは所定時間に仮定番号を利用してオンラインセッションに参加するとともにサーバーと接続する時、サーバーは識別データを利用して会議装置に接続し、かつ第一制御アプリケーションプログラムを利用してリマインダーメッセージをホストデバイスに送信する。
【００１７】
本発明の実施例において、ホストデバイス及びクライアント端末デバイスはスマートフォン、タブレット型コンピューター又はノートパソコンから選択される。
【００１８】
本発明の実施例において、所定時間が終了すると、サーバーはホストデバイスの会議装置に対する制御権を取り消す（ｔｅｒｍｉｎａｔｅ）。
【発明の効果】
【００１９】
本発明は、ホストデバイスを利用して会議装置を無線制御し、会議を時間どおりに滞りなく行えるように、又は終了できるようにする。
【図面の簡単な説明】
【００２０】
【図１】本発明の第三者会議設備制御システムの第一実施例のブロック図である。
【図２】本発明の第三者会議設備制御システムの第一実施例の動作フローチャートである。
【図３】本発明の第三者会議設備制御システムの第二実施例のブロック図である。
【図４】本発明の第三者会議設備制御システムの第二実施例の動作フローチャートである。
【発明を実施するための形態】
【００２１】
本発明の構造的特徴および達成される効果のさらなる理解と認識のため、添付の図面と併せて好ましい実施例について以下に詳細に説明する。
【実施例】
【００２２】
以下に本発明の第三者会議設備制御システムの第一実施例を紹介するので、図１を参照されたい。第三者会議設備制御システムは少なくとも１つの会議装置１０、少なくとも１つのサーバー１２及び少なくとも１つのホストデバイス（ｈｏｓｔ  ｄｅｖｉｃｅ）１４を含む。第一実施例において、会議装置１０の個数は複数を例とし、サーバー１２の個数は１つを例とし、ホストデバイス１４の個数も１つを例とする。会議装置１０はたとえばウェブカメラ（ｗｅｂｃａｍ）、液晶ディスプレイ又はＩＰ電話機（Ｉｎｔｅｒｎｅｔ  Ｐｒｏｔｏｃｏｌ  ｐｈｏｎｅ）である。ホストデバイス１４はスマートフォン、タブレット型コンピューター又はノートパソコンから選択できる。会議装置１０はたとえば会議室のような実空間中に位置する。会議装置１０は少なくとも１つの識別データに対応し、かつ識別データは実空間の実位置に対応する。会議装置１０は複数あるので、識別データも複数であり、すべての識別データはそれぞれすべての会議装置１０に対応する。識別データは電話番号、ＩＰアドレス（Ｉｎｔｅｒｎｅｔ  Ｐｒｏｔｏｃｏｌ  Ａｄｄｒｅｓｓ）、パスワード、デバイス識別コード及びデバイス名のうち少なくとも１つを含む。サーバー１２は会議装置１０に信号接続し、識別データを保存する。具体的には、サーバー１２は会議装置１０に無線接続又は有線接続する。ホストデバイス１４はサーバー１２に無線接続し、識別データを保存し、少なくとも１つの第一制御アプリケーションプログラム（ＡＰＰ  Ｐｒｏｇｒａｍ）を有する。第一制御アプリケーションプログラムの数量は１つを例とし、第一制御アプリケーションプログラムはサーバー１２に対応する。第一制御アプリケーションプログラムは少なくとも１つの独立制御インターフェース又は統合式制御インターフェースを備える。会議装置１０の個数は複数であるため、第一制御アプリケーションプログラムも複数の独立制御インターフェース又は統合式制御インターフェースを備え、すべての独立制御インターフェースはすべての会議装置１０にそれぞれ対応する。ホストデバイス１４は第一制御アプリケーションプログラム及び識別データを利用して少なくとも１つの所定時間にサーバー１２を通じて会議装置１０を制御する。この所定時間も昼間や夜間のように複数設けることができる。所定時間はホストデバイス１４により第一制御アプリケーションプログラムを利用して設定され、ホストデバイス１４は第一制御アプリケーションプログラムを利用してこの所定時間をサーバー１２にアップロードする。所定時間が終了すると、サーバー１２はホストデバイス１４の会議装置１０に対する制御権を取り消し（ｔｅｒｍｉｎａｔｅ）、ホストデバイス１４がサーバー１２を通じて会議装置１０を制御できないようにする。このように、ホストデバイス１４は会議装置１０を無線制御して会議が時間どおりスムーズに行われ、終了できるようにする。
【００２３】
以下に本発明の第三者会議設備制御システムの第一実施例の動作の流れを紹介するので、図１及び図２を参照されたい。まず、ステップＳ１０に示すように、ホストデバイス１４は第一制御アプリケーションプログラムを利用して実空間中のすべての会議装置１０を制御できる少なくとも１つの所定時間を設定し、ホストデバイス１４は第一制御アプリケーションプログラムを利用してこの所定時間をサーバー１２にアップロードする。続いて、ステップＳ１２に示すように、所定時間が開始すると、ホストデバイス１４は自動的に第一制御アプリケーションプログラム及び識別データを利用してサーバー１２を通じて会議装置１０を制御する。最後に、ステップＳ１４に示すように、所定時間が終了すると、サーバー１２は自動的にホストデバイス１４の会議装置１０に対する制御権を取り消し、ホストデバイス１４がサーバー１２を通じて会議装置１０を制御できないようにする。
【００２４】
ステップＳ１２では、ホストデバイス１４は第一制御アプリケーションプログラムを利用して操作命令をサーバー１２に送信した後、サーバー１２は操作命令に基づき操作信号を会議装置１０に送信し、会議装置１０は操作信号に受動的に応答する。会議装置１０が操作信号を利用して何らかの素子を駆動することはない。たとえば、会議装置１０が自動応答（ａｕｔｏｍａｔｉｃ  ａｎｓｗｅｒ）機能を備えるＩＰ電話機である場合、電話の発信者はサーバー１２を通じてこのＩＰ電話機に電話をかける。続いて、ホストデバイス１４は第一制御アプリケーションプログラムを利用して操作命令をサーバー１２に送信した後、サーバー１２は操作命令に基づき、電話を受けるといったような対応作業を行い、この作業は電話発信者がかけた電話を受けることを含むとともに、サーバー１２が電話発信者の音声信号を合わせて操作信号としての音声データを生成してＩＰ電話機に送信し、ＩＰ電話機は電話発信者の音声信号を生成して受動的に操作信号に応答する。また、サーバー１２はすべての会議装置１０を制御するための命令セット（ｉｎｓｔｒｕｃｔｉｏｎ  ｓｅｔ）を備え、命令セットは複数の操作コマンドを含み、すべての操作コマンドはすべての会議装置１０にそれぞれ対応する。ホストデバイス１４は第一制御アプリケーションプログラムを利用して制御コマンドをサーバー１２に送信した後、サーバー１２は命令セットから制御コマンドに対応する操作コマンドを探し出すとともに、探し出した操作コマンドをそれに対応する会議装置１０に送信して操作コマンドに対応する会議装置１０を制御する。サーバー１２は操作コマンドをそれに対応する会議装置１０に送信して会議装置１０を制御した後、制御コマンドが対応する会議装置１０はサーバー１２及び第一制御アプリケーションプログラムを利用してステータスメッセージをホストデバイス１４に送信することにより、ホストデバイス１４に制御コマンドが対応する会議装置１０のステータスを通知する。それと同時にホストデバイス１４はこのステータスメッセージを表示してホストデバイス１４のユーザーに見せる。
【００２５】
以下に本発明の第三者会議設備制御システムの第二実施例を紹介するので、図３を参照されたい。第二実施例と第一実施例の違いは、第二実施例はサーバー１２に無線接続する少なくとも１つのクライアント端末デバイス（ｃｌｉｅｎｔ  ｄｅｖｉｃｅ）１６をさらに含み、クライアント端末デバイス１６はスマートフォン、タブレット型コンピューター又はノートパソコンから選択されるという点である。クライアント端末デバイス１６はサーバー１２に対応する第二制御アプリケーションプログラムを有する。ホストデバイス１４とクライアント端末デバイス１６のうち１つがそれに対応する第一制御アプリケーションプログラム又は第二制御アプリケーションプログラムを実行することにより、サーバー１２を利用してオンラインセッションを作成し、オンラインセッションは仮定番号に対応する。クライアント端末デバイス１６は所定時間に仮定番号を利用してオンラインセッションに参加するとともにサーバー１２と接続する時、サーバー１２は識別データを利用して会議装置１０に接続し、かつ第一制御アプリケーションプログラムを利用してリマインダーメッセージをホストデバイス１４に送信する。
【００２６】
以下に本発明の第三者会議設備制御システムの第二実施例の動作の流れを紹介するので、図３及び図４を参照されたい。まず、ステップＳ１６に示すように、ホストデバイス１４は第一制御アプリケーションプログラムを利用して実空間中のすべての会議装置１０を制御できる少なくとも１つの所定時間を設定し、ホストデバイス１４は第一制御アプリケーションプログラムを利用してこの所定時間をサーバー１２にアップロードする。続いて、ステップＳ１８に示すように、所定時間が開始すると、ホストデバイス１４は自動的に第一制御アプリケーションプログラム及び識別データを利用してサーバー１２を通じて会議装置１０を制御する。ステップＳ１６及びステップＳ１８はそれぞれステップＳ１０及びステップＳ１２と同じである。ステップＳ１８の後ステップＳ２０に進む。ステップＳ２０では、ホストデバイス１４とクライアント端末デバイス１６のうち１つが対応する第一制御アプリケーションプログラム又は第二制御アプリケーションプログラムを実行することにより、サーバー１２を利用してオンラインセッションを作成する。さらにステップＳ２２に示すように、サーバー１２は、識別データを利用して会議装置１０に接続し、かつ第一制御アプリケーションプログラムを利用してリマインダーメッセージをホストデバイス１４に送信し、ホストデバイス１４に第一制御アプリケーションプログラム及びリマインダーメッセージを利用してサーバー１２を通じて会議装置１０を制御させる。最後に、ステップＳ２４に示すように、所定時間が終了すると、サーバー１２は自動的にホストデバイス１４の会議装置１０に対する制御権を取り消し、ホストデバイス１４がサーバー１２を通じて会議装置１０を制御できないようにする。
【００２７】
ステップＳ２２では、会議装置１０がＩＰ電話機である場合、ホストデバイス１４は第一制御アプリケーションプログラム及びリマインダーメッセージを利用してサーバー１２を通じてＩＰ電話機を制御して通話応答（ａｎｓｗｅｒ）、通話保留（ｈｏｌｄ）、通話転送（ｔｒａｎｓｆｅｒ）又は通話終了を行い、会議がスムーズに進み、終了できるようにする。
【００２８】
上述の記載は本発明の好ましい実施例の説明に過ぎず、本発明の実施範囲を限定するものではない。したがって、本発明の特許請求の範囲内に記載された形状、構造、特徴及び精神に基づいてなされた各種の変更や潤色はすべて、本発明の特許請求の範囲内に含まれる。
【符号の説明】
【００２９】
１０  会議装置
１２  サーバー
１４  ホストデバイス
１６  クライアント端末デバイス
【図１】
2020010309.tif 000003
【図２】
2020010309.tif 000004
【図３】
2020010309.tif 000005
【図４】
2020010309.tif 000006